(57)【特許請求の範囲】
【請求項１】
CoMPシステム中の基地局に用いるチャネル状態情報の測量方法であって、
前記基地局がユーザ装置のために、CoMP伝送を行う一つ又は複数の協調伝送ポイントを選択する協調ポイント選択ステップ；及び
各基地局及び各協調伝送ポイントについて、チャネル状態情報フィードバック用の測量サブセットを単独で構成し、前記ユーザ装置に、前記測量サブセットに基づいて測量を行わせる測量サブセット構成ステップを含み、
前記測量サブセットは、前記ユーザ装置がどのリソース中の参照シンボルを用いて前記測量を行うかを示す、測量方法。
【請求項２】
請求項1に記載の測量方法であって、
前記基地局の測量サブセットは、前記協調伝送ポイントに対応するABS（Almost  Blank  Sub-frame）のリソース情報を含み、
前記協調伝送ポイントの測量サブセットは、他の協調伝送ポイント及び前記基地局に対応するABSのリソース情報を含む、測量方法。
【請求項３】
請求項2に記載の測量方法であって、
前記測量サブセットを構成するステップの前に、前記測量方法は、さらに、
ABSを構成しているスケジューリングモードを前記協調伝送ポイントに送信し、前記協調伝送ポイントが送信した、ABSを構成しているスケジューリングモードを受信するモードやり取りステップを含み、
前記測量サブセットを構成するステップでは、ABSを構成しているスケジューリングモードに基づいて、前記測量サブセットを構成する、測量方法。
【請求項４】
請求項1に記載の測量方法であって、
前記測量サブセットを構成するステップの後に、前記測量方法は、さらに、
上位層シグナリングにより前記ユーザ装置に前記測量サブセットを送信し、前記ユーザ装置に、前記測量サブセットに基づいて測量を行わせ、周期的な報告を行わせる構成送信ステップを含む、測量方法。
【請求項５】
請求項1に記載の測量方法であって、
前記測量サブセットを構成するステップの後に、前記測量方法は、さらに、
下り制御情報により前記ユーザ装置に前記測量サブセットを送信し、前記ユーザ装置が前記測量サブセットに基づいて測量を行い、非周期的な報告を行うようにトリガーする構成送信ステップを含む、測量方法。
【請求項６】
CoMPシステム中のユーザ装置に用いるチャネル状態情報の測量方法であって、
前記ユーザ装置が、基地局又は協調伝送ポイントの測量サブセットに基づいて、各基地局又は協調伝送ポイントのチャネル状態情報に対して単独測量を行う情報測量ステップを含み、
前記測量サブセットは、前記ユーザ装置がどのリソース中の参照シンボルを用いて前記測量を行うかを示す、測量方法。
【請求項７】
請求項6に記載の測量方法であって、
前記基地局の測量サブセットは、前記協調伝送ポイントに対応するABSのリソース情報を含み、
前記協調伝送ポイントの測量サブセットは、他の協調伝送ポイント及び前記基地局に対応するABSのリソース情報を含む、測量方法。
【請求項８】
請求項6に記載の測量方法であって、
前記情報測量ステップの前に、前記測量方法は、さらに、
前記基地局が上位層シグナリングにより送信した前記測量サブセットを受信する構成受信ステップを含む、測量方法。
【請求項９】
請求項8に記載の測量方法であって、
前記情報測量ステップの後に、前記測量方法は、さらに、
前記ユーザ装置が、その測量したチャネル状態情報を周期的に報告する報告ステップを含む、測量方法。
【請求項１０】
請求項6に記載の測量方法であって、
前記情報測量ステップの前に、前記測量方法は、さらに、
前記基地局が下り制御情報により送信した前記測量サブセットを受信する構成受信ステップを含む、測量方法。
【請求項１１】
請求項10に記載の測量方法であって、
前記情報測量ステップの後に、前記測量方法は、さらに、
前記ユーザ装置がその測量したチャネル状態情報を非周期的に報告する報告ステップを含む、測量方法。
【請求項１２】
基地局であって、
ユーザ装置のために、CoMP伝送を行う一つ又は複数の協調伝送ポイントを選択する協調ポイント選択ユニット；及び
各基地局及び各協調伝送ポイントについて、チャネル状態情報フィードバック用の測量サブセットを単独で構成し、前記ユーザ装置に、前記測量サブセットに基づいて測量を行わせる測量サブセット構成ユニットを含み、
前記測量サブセットは、前記ユーザ装置がどのリソース中の参照シンボルを用いて前記測量を行うかを示す、基地局。
【請求項１３】
請求項12に記載の基地局であって、
前記基地局の測量サブセットは、前記協調伝送ポイントに対応するABSのリソース情報を含み、
前記協調伝送ポイントの測量サブセットは、他の協調伝送ポイント及び前記基地局に対応するABSのリソース情報を含む、基地局。
【請求項１４】
請求項13に記載の基地局であって、さらに、
ABSを構成しているスケジューリングモードを前記協調伝送ポイントに送信し、前記協調伝送ポイントが送信した、ABSを構成しているスケジューリングモードを受信するモードやり取りユニットを含み、
前記測量サブセット構成ユニットは、具体的に、ABSを構成しているスケジューリングモードに基づいて前記測量サブセットを構成するために用いられる、基地局。
【請求項１５】
請求項12に記載の基地局であって、さらに、
上位層シグナリングにより前記ユーザ装置に前記測量サブセットを送信し、前記ユーザ装置に、前記測量サブセットに基づいて測量を行わせ、周期的な報告を行わせる構成送信ユニットを含む、基地局。
【請求項１６】
請求項12に記載の基地局であって、さらに、
下り制御情報により前記ユーザ装置に前記測量サブセットを送信し、前記ユーザ装置が前記測量サブセットに基づいて測量を行い、非周期的な報告を行うようにトリガーする構成送信ユニットを含む、基地局。
【請求項１７】
ユーザ装置であって、
基地局又は協調伝送ポイントの測量サブセットに基づいて、各基地局又は協調伝送ポイントのチャネル状態情報に対して単独測量を行う情報測量ユニットを含み、
前記測量サブセットは、前記ユーザ装置がどのリソース中の参照シンボルを用いて前記測量を行うかを示す、ユーザ装置。
【請求項１８】
請求項17に記載のユーザ装置であって、
前記基地局の測量サブセットは、前記協調伝送ポイントに対応するABSのリソース情報を含み、
前記協調伝送ポイントの測量サブセットは、他の協調伝送ポイント及び前記基地局に対応するABSのリソース情報を含む、ユーザ装置。
【請求項１９】
請求項17に記載のユーザ装置であって、さらに、
前記基地局が上位層シグナリングにより送信した前記測量サブセットを受信し、又は、前記基地局が下り制御情報により送信した前記測量サブセットを受信する構成受信ユニットを含む、ユーザ装置。
【請求項２０】
請求項18に記載のユーザ装置であって、さらに、
測量したチャネル状態情報を周期的に又は非周期的に報告する情報報告ユニットを含む、ユーザ装置。
【請求項２１】
コンピュータ可読プログラムであって、
基地局において前記プログラムを実行する時に、前記プログラムは、コンピュータに、前記基地局において、請求項1〜5の任意の１項に記載のチャネル状態情報の測量方法実行させる、プログラム。
【請求項２２】
コンピュータ可読プログラムを記憶した記憶媒体であって、
前記コンピュータ可読プログラムは、コンピュータに、基地局において、請求項1〜5の任意の１項に記載のチャネル状態情報の測量方法を実行させる、記憶媒体。
【請求項２３】
コンピュータ可読プログラムであって、
ユーザ装置において前記プログラムを実行する時に、前記プログラムは、コンピュータに、前記ユーザ装置において請求項6〜11の任意の１項に記載のチャネル状態情報の測量方法を実行させる、プログラム。
【請求項２４】
コンピュータ可読プログラムを記憶した記憶媒体であって、
前記コンピュータ可読プログラムは、コンピュータに、ユーザ装置において請求項6〜11の任意の１項に記載のチャネル状態情報の測量方法を実行させる、記憶媒体。
【発明の詳細な説明】
【技術分野】
【０００１】
本発明は、通信分野に関し、特に、チャネル状態情報の測量方法、ユーザ装置及び基地局に関する。
【背景技術】
【０００２】
LTE-A（Long  Term  Evaluation  Advanced)システムでは、従来の同質ネットワークを基に、低パワー送信ノードを導入し、異質ネットワークが構成され、マクロセル（Macro  Cell)、フェムトセル（Femto  Cell)、ピコセル（Pico  Cell)、リモートラジオヘッド（RRH、Remote  Radio  Head)、及びリレー（Relay)からなっても良い。
【０００３】
LTE-Aシステムにおけるセルのカバレッジ及びユーザ体験を改善し、システムのスループット及びユーザのデータ伝送レートを向上させるために、多地点協調送信（CoMP、Coordinated  Multiple  Points)技術が既に導入されている。この種の技術は、複数の地理的位置に分散している伝送ポイントを用いて、ユーザにデータを協調して伝送することにより、セル境界におけるユーザのパフォーマンスを強化し、セルのカバレッジを改善し、セル境界におけるスループット及びシステムのスループットを上げ、ユーザのパフォーマンス体験を向上させることができる。
【０００４】
CoMP技術では、同一セルの異なる伝送ポイントは協調送信を行うことできる。図1は、CoMPシステムにおける同一セルの異なる伝送ポイントが協調送信を行う様子を示す図である。図1に示すにように、同一セルのeNB  101及びRRH  102は、協調してユーザ装置104にサービングすることができる。eNB  101及びRRH  103は、協調してユーザ装置105にサービングすることができる。
【０００５】
また、異なるセルの異なる伝送ポイントは協調送信を行うこともできる。図2は、CoMPシステムにおける異なるセルの異なる伝送ポイントが協調送信を行う様子を示す図である。図2に示すように、異なるセルのeNB/RRH  201、eNB/RRH  202は、協調してユーザ装置203にサービスを提供することができる。
【０００６】
最適の協調伝送ポイントを選択するために、基地局側は、各伝送ポイントからユーザへの下りチャネル情報を得る必要があり、通常、チャネル品質情報（CQI、Channel  Quality  Information)、プリコーディング行列インデックス（PMI、Precoding  Matrix  Index)、及びランク（Rank)を含み、これによって、一定の最適化基準に基いて、最適の一つ又は複数の伝送ポイントを選択する。後方互換（Backward  Compatibility）且つより柔軟のスケジューリングを保証するために、基地局側は、従来のセルの単一ポイント送信へ戻す能力を有する必要があり、これによって、ユーザは、チャネル情報をフィードバックする時に、CoMP送信の下での下りチャネル情報を報告する必要があるのみならず、従来の単一ポイント送信時の下りチャネル情報を報告する必要もある。
【０００７】
異質ネットワーク（Heterogeneous  Network)では、従来のセルネットワークとは異なる幾つかの異質ネットワークノードが導入されている。これらの異質のノードは、例えば、HeNB(Home  eNodeB)、Pico-cellなどであり、比較的低い送信パワーを用いて特定の領域又はユーザをカバーし、また、ネットワークの構成方式は、相対的に柔軟であり、その構成が合理的であれば、ユーザ体験を大幅に向上させることができる。また、Macro-Picoのシナリオの下では、規格に、ABS（Almost  Blank  Sub-frame)がセル間の干渉協調(eICIC、enhanced  interference  coordination  and  interference  cancellation)を強化するために既に導入されている。
【０００８】
しかし、本発明の実施例の実現過程では、本発明の発明者は、今のところ、チャネル状態情報のフィードバックについて、二つの測量サブセット(measurement  reference  resource  subsets)のみを採用し、協調に参与する各セル又は伝送ポイントについて、単独のチャネル状態情報（CSI、Channel  State  Information)のフィードバックの構成を行っていないとのことを発見した。
【０００９】
図3は、従来技術におけるABSサブフレームと測量サブセットとの関係図である。図3に示すように、一つの測量サブセット(Measurement  subset  0)がABSに対応し、他の測量サブセット(Measurement  subset  1)がノーマルサブフレーム(Normal  Subframe)に対応する。
【００１０】
よって、今のところ、各種のCoMP技術では、統一のフィードバック情報構造設計を使用していないので、マルチ伝送ポイント又はマルチセルに対してのチャネルフィードバック情報は、単一セルの伝送とマルチセルの伝送との両方にサービングすることができない。
【００１１】
なお、上述の背景技術についての紹介は、本発明の技術案を明確且つ完全に説明し、また、当業者がそれを容易に理解し得るためだけのものである。これらの案が本発明の背景技術の部分に記載されているため、上述の技術案は当業者に周知であると思われてはいけない。
【発明の概要】
【発明が解決しようとする課題】
【００１２】
本発明の実施例は、チャネル状態情報の測量方法、ユーザ装置及び基地局を提供し、その目的は、統一のフィードバック情報構造設計を用いることにより、マルチ伝送ポイント又はマルチセルへのチャネルフィードバック情報は、単一セルの伝送及びマルチセルの伝送の両方にサービングすることができるとのことにある。
【課題を解決するための手段】
【００１３】
本発明の実施例の一側面によれば、CoMPシステムにおける基地局に用いるチャネル状態情報の測量方法が提供され、前記測量方法は、
協調ポイント選択ステップ：前記基地局がユーザ装置のために、CoMP伝送を行うための一つ又は複数の協調伝送ポイントを選択するステップ；及び
測量サブセット構成ステップ：前記基地局及び各前記協調伝送ポイントについて、チャネル状態情報フィードバック用の測量サブセットを構成し、これによって、前記ユーザ装置が前記測量サブセットに基いて測量を行うステップを含む。
【００１４】
また、本発明の実施例の他の側面によれば、CoMPシステムにおけるユーザ装置に用いるチャネル状態情報の測量方法が提供され、前記測量方法は、
情報測量ステップ：前記ユーザ装置が、基地局又は協調伝送ポイントの測量サブセットに基いて、各基地局又は協調伝送ポイントのチャネル状態情報に対して単独測量を行うステップを含む。
【００１５】
また、本発明の実施例の他の側面によれば、基地局が提供され、前記基地局は、
協調ポイント選択ユニット：ユーザ装置のために、CoMP伝送を行うための一つ又は複数の協調伝送ポイントを選択するためのユニット；及び
測量サブセット構成ユニット：前記基地局及び各前記協調伝送ポイントについて、チャネル状態情報フィードバック用の測量サブセットを構成し、これによって、前記ユーザ装置が前記測量サブセットに基いて測量を行うためのユニットを含む。
【００１６】
また、本発明の実施例の他の側面によれば、ユーザ装置が提供され、前記ユーザ装置は、
情報測量ユニット：基地局又は協調伝送ポイントの測量サブセットに基いて、各基地局又は協調伝送ポイントのチャネル状態情報に対して単独測量を行うためのユニットを含む。
【００１７】
また、本発明の実施例の他の側面によれば、コンピュータ可読プログラムが提供され、そのうち、基地局において前記プログラムを実行する時に、前記プログラムは、コンピュータに、前記基地局において前述のチャネル状態情報の測量方法を実行させる。
【００１８】
また、本発明の実施例の他の側面によれば、コンピュータ可読プログラムを記憶した記憶媒体が提供され、そのうち、前記コンピュータ可読プログラムは、コンピュータに、基地局において、前述のチャネル状態情報の測量方法を実行させる。
【００１９】
また、本発明の実施例の他の側面によれば、コンピュータ可読プログラムが提供され、そのうち、ユーザ装置において前記プログラムを実行する時に、前記プログラムは、コンピュータに、前記ユーザ装置において前述のチャネル状態情報の測量方法を実行させる。
【００２０】
また、本発明の実施例の他の側面によれば、コンピュータ可読プログラムを記憶した記憶媒体が提供され、そのうち、前記コンピュータ可読プログラムは、コンピュータに、ユーザ装置において前述のチャネル状態情報の測量方法を実行させる。
【００２１】
本発明の実施例の有益な効果は、協調に参与する各セル又は伝送ポイントに対して単独でチャネル状態情報のフィードバックの構成を行い、統一のフィードバック情報構造設計を用いることができ、これによって、マルチ伝送ポイント又はマルチセルに対してのチャネルフィードバック情報は、単一セルの伝送及びマルチセルの伝送の両方にサービングすることができるとのことにある。
【００２２】
後述の説明及び図面により、本発明の特定の実施形態を詳細に開示し、本発明の原理を採用し得る方式を明確にする。なお、本発明の実施形態は、範囲上ではそれに限定されない。添付した特許請求の範囲の精神及び技術的範囲内では、本発明の実施形態は、あらゆる変更、変形及び代替によるものを含む。
【００２３】
実施形態について説明した及び/又は示した特徴は、同じ又は類似した方式で、一つ又は複数の他の実施形態に使用し、他の実施形態における特徴と組み合わせ、又は、他の実施形態における特徴を置換することができる。
【００２４】
なお、"包括/含む"のような用語は、本文に使用する時に、特徴、装置全体、ステップ又はアセンブリの存在を指すが、一つ又は複数の他の特徴、装置全体、ステップ又はアセンブリの存在又は付加を排除しないことをも指す。
【図面の簡単な説明】
【００２５】
以下の図面を参照して、本発明の多くの側面をよりよく理解することができる。図面における部品は、比例して描かれたのもではなく、本発明の原理を示すためだけのものである。また、本発明の一部を便利に説明する又は示すために、図面に対応する部分は、拡大又は縮小することがある。
【００２６】
本発明の一つの図面又は実施形態に記載の要素及び特徴は、一つ又は複数の他の図面又は実施形態に示す要素及び特徴と組み合わせてもよい。また、図面では、類似する符号は、幾つかの図面に対応する部品を示し、また、他の実施形態に用いる対応する部品を示すために用いられてもよい。
【図１】CoMPシステムにおける同一セルの異なる伝送ポイントが協調送信を行う様子を示す図である。
【図２】CoMPシステムにおける異なるセルの異なる伝送ポイントが協調送信を行う様子を示す図である。
【図３】従来技術におけるABSサブフレームと測量サブセットとの関係図である。
【図４】本発明の実施例における測量方法のフローチャートである。
【図５】本発明の実施例における測量方法の他のフローチャートである。
【図６】本発明の実施例における基地局の構成図である。
【図７】本発明の実施例における基地局の他の構成図である。
【図８】本発明の実施例における測量方法の他のフローチャートである。
【図９】本発明の実施例におけるユーザ装置の構成図である。
【発明を実施するための形態】
【００２７】
添付した図面に基づく次の説明を参照することにより、本発明の前述及び他の特徴は、より明らかになる。また、明細書及び図面では、本発明の特定の実施形態が具体的に開示されているが、それらは、本発明の原理を採用し得る一部の実施形態のみである。理解すべきは、本発明は、記載されている実施形態に限定されず、添付した特許請求の範囲における変更、変形及び代替によるものをすべて含むとのことである。
【００２８】
今のところ、CoMP伝送案は、ジョイント処理（JP、Joint  Processing)及び協調スケジューリング/ビーム形成（CS/CB、Coordination  Scheduling/Beamforming)を含む。前者は、同時に、複数の伝送ポイントが同時にユーザ装置にデータを送信することができることを表し、即ち、同時に、複数のポイントから動的に一つ又は複数の伝送ポイントを選択してユーザ装置にデータを送信させることを表し；後者は、同時に、一つのみの伝送ポイントがユーザ装置にデータを送信することを表す。そのうち、伝送ポイントのタイプは、従来のマクロセル基地局又はRRHであっても良く、又は、Pico基地局などの異質ノードであっても良く；高パワーノードであってもよく、又は、低パワーノードであっても良い。
【００２９】
CoMP技術が異なることにより、ユーザがフィードバックする情報も異なる。しかしながら、すべては、従来の単一ポイント送信（Non-CoMP)の下でのCSI、及び、CoMP送信の下でのCSIをフィードバックする必要がある。JP送信については、受信信号が次の式で表されても良い。
【数１】
0005928593.tif 000002
【００３０】
そのうち、Wk(b)は、JP送信において協調送信ポイントbが使用するプリコーディング行列であり、Hk(b)は、協調送信ポイントbからユーザへのチャネルであり、xkは、送信データであり、nkは、ノイズである。
【００３１】
ユーザは、それぞれ、各送信ポイントのプリコーディング行列Wk(b)をフィードバックする必要があり、また、報告に基くプリコーディング行列、式（1)に対応する量化の信号対ノイズ比、即ち、CQIをフィードバックする必要がある。その同時に、ユーザは、単一ポイント送信時のみのCSI、即ち、式（2)に対応するプリコーディング行列及び量化の信号対ノイズ比をフィードバックする必要もある。
【数２】
0005928593.tif 000003
【００３２】
CoMPが異質ネットワークに応用される場合、一種の可能なシナリオは、eICIC及びCoMPが同時に稼働するのである。この時に、一部のマクロ局は、ABSを構成する可能性があり、この時に、次のような状況が出現する可能性があり、即ち、ABSにおいてCoMPを実施し、即ち、複数の伝送ポイント又はセルが協調伝送を行う時に、そのうち、少なくとも一つセル又は伝送ポイントがABSを構成しており；又は、non-ABSにおいてCoMPを実施し、即ち、複数の伝送ポイント又はセルが協調伝送を行う時に、そのうち、ABSを構成しているセル又は伝送ポイントがない。今のところ、上述のような状況に対して、CoMPシステムには、マルチセルの測量参照リソース(measurement  reference  resource)の処理案がない。
【００３３】
本発明の実施例は、チャネル状態情報の測量方法を提供する。図4は、本発明の実施例における測量方法のフローチャートである。図4に示すように、CoMPシステムにおける基地局側では、該測量方法は、
ステップ401：基地局がユーザ装置のために、CoMP伝送を行うための一つ又は複数の協調伝送ポイントを選び；及び
ステップ402：各基地局及び各協調伝送ポイントについて、チャネル状態情報フィードバック用の測量サブセットを独立で構成し、これによって、該ユーザ装置が測量サブセットに基いて測量を行う。
【００３４】
本実施例では、基地局とは、広義上でのネットワーク側の基地局を指し、マクロセルの（Macro  Cell)基地局であってよく、ピコセルセル（Pico  Cell)の基地局であってもよく、又は、RRHであっても良い。協調伝送ポイントは、単独のセル、基地局、RRH、又は、アンテナポートなどを含んでも良い。しかし、これに限定されず、実際の状況に応じて、具体的なタイプを確定しても良い。
【００３５】
本実施例では、該基地局及び各協調伝送ポイントについては、すべて、測量サブセットを構成しても良い。該測量サブセットは、ユーザ装置が、どのリソース（時間領域及び周波数領域を含む）中の参照シンボルを用いてチャネルの推定及び信号対ノイズ比の測量を行うかを示してもよい。
【００３６】
そのうち、基地局の測量サブセットは、一つ又は複数の協調伝送ポイントに対応するABSのリソース情報を含んでもよく；協調伝送ポイントの測量サブセットは、他の協調伝送ポイント及び該基地局に対応するABSのリソース情報を含んでもよい。
【００３７】
よって、協調に参与する各セル又は伝送ポイントに対して単独でチャネル状態情報フィードバック構成を行い、統一のフィードバック情報構造設計を使用することができる。また、干渉ができるだけ小さいリソース上でCSI測量を行うことができ、これによって、フィードバックの精度及び柔軟性を向上させ、下りオーバーヘッドを低減することができる。
【００３８】
図5は、本発明の実施例における測量方法の他のフローチャートである。図5に示すように、該測量方法は、具体的に、次のようなステップを含む。
【００３９】
ステップ501：基地局がユーザ装置のために、CoMP伝送を行うための一つ又は複数の協調伝送ポイントを選択する。
【００４０】
ステップ502：基地局が、ABSを構成しているスケジューリングモードを協調伝送ポイントに送信し、また、協調伝送ポイントから送信した、ABSを構成しているスケジューリングモードを受信する。
【００４１】
本実施例では、基地局及び協調伝送ポイントは、すべて、ABSを構成しているスケジューリングモード(ABS  pattern)を有しても良く、基地局及び各協調伝送ポイントの間は、ABSを構成している各自のモードを交換することができる。これは、従来技術により実現することができるので、ここでは、その詳しい説明を省略する。
【００４２】
ステップ503：基地局が、ABSを構成しているスケジューリングモードに基いて、測量サブセットを構成する。
【００４３】
本実施例では、ABSを構成しているスケジューリングモードに基いて、基地局及び各協調伝送ポイントのために、測量サブセットを構成しても良い。そのうち、基地局の測量サブセットは、一つ又は複数の協調伝送ポイントに対応するABSのリソース情報を含んでも良く;協調伝送ポイントの測量サブセットは、他の協調伝送ポイント及び該基地局に対応するABSのリソース情報を含んでも良い。
【００４４】
以下、Cell#lが基地局に対応し、Cell#2及びCell#3が協調伝送ポイントに対応するものを例として、測量サブセットの構成について詳細に説明する。そのうち、ユーザUE#1がセルCell#lに属し、Cell#2及びCell#3は、同時に、Cell#lとは、UE#1のために、協調伝送を行う。Cell#lは、ABS  pattern  P#lを構成しており、Cell#2は、ABS  pattern  P#2を構成しており、Cell#3は、ABS  pattern  P#3を構成している。
【００４５】
すると、Cell#lがUE#1のために構成したCell#lの測量サブセットは、（P#2∩P#3)でであってよく;Cell#lがUE#1のために構成したCell#2の測量サブセットは、(P#1∩P#3)であっても良く;Cell#lがUE#1のために構成したCell#3の測量サブセットは、（P#1∩P#2)であってもよい。
【００４６】
例えば、P#1は、具体的に、
「1010101010101010101010101010101010101010」であっても良い。
【００４７】
P#2は、具体的に、
「1000100010001000100010001000100010001000」であっても良い。
【００４８】
P#3は、具体的に、
「1000000010000000100000001000000010000000」であっても良い。
【００４９】
そのうち、0は、ノーマルサブフレームに対応するリソース情報を表し、1は、ABSに対応するリソースを表する。この場合、UE#1のために構成したCell#lの測量サブセット（P#2∩P#3)は、
「1000000010000000100000001000000010000000」
であり、UE#1のために構成したCell#2の測量サブセット（P#1∩P#3)は、
「1000000010000000100000001000000010000000」
であり、UE#1のために構成したCell#3の測量サブセット（P#1∩P#2)は、
「1000100010001000100010001000100010001000」
である。
【００５０】
本発明の実施例は、この種の方法を採用することで、三つのセルの間の干渉を、UEがチャネル測量を行う時に、できるだけ小さくすることができ、これによって、チャネル測量の誤差を小さくすることができる。また、各cellのために単独でpatternを構成することは、より多くのセルのABS  patternを考慮することができ、これによって、最適な測量参照リソースを選択することができる。
【００５１】
また、この種の方法を採用することで、干渉（例えば、CSI-RSへの干渉）を避けるために行う下りミューティング（muting、例えば、PDSCH  muting)を減少させることができ、これによって、下りオーバーヘッドを減少させることができる。
【００５２】
なお、以上の実例では、測量サブセットを構成するための好適な実施形態について例示的に説明したが、本発明は、これに限定されず、例えば、UE#1のために構成したCell#lの測量サブセットは、P#2と構成しても良く、即ち、Cell#2に対応するABSのリソース情報のみを含み、Cell#3に対応するABSのリソース情報を含まない。
【００５３】
また、具体的に実施する時に、基地局又は協調伝送ポイントにより各自の対応する測量サブセットを構成しても良い。例えば、Cell#lは、UE#1のために、Cell#lの測量サブセットを構成し、Cell#2は、UE#1のために、Cell#2の測量サブセットを構成し、Cell#3は、UE#1のために、Cell#3の測量サブセットを構成してもよい。
【００５４】
本実施例では、図5に示すように、ステップ503の後に、前記測量方法は、さらに、次のステップを含んでもよい。
【００５５】
ステップ504：基地局がユーザ装置に、構成後の測量サブセットを送信する。
【００５６】
具体的に実施する時に、基地局は、上位層シグナリングにより、ユーザ装置に、測量サブセットを送信することができ、これによって、ユーザ装置は、測量サブセットに基いて測量を行い、周期的な（定期的な）報告を行うことができる。
【００５７】
或いは、具体的に実施する時に、基地局は、下り制御情報（DCI、Downlink  Control  Information)により、ユーザ装置に、測量サブセットを送信してもよく、これによって、ユーザ装置が測量サブセットに基いて測量を行い、非周期的な（非定期的な）報告を行うようにトリガーすることができる。
【００５８】
また、具体的に実施する時に、ステップ503において測量サブセットが基地局又は協調伝送ポイントにより各自に構成される場合、基地局又は協調伝送ポイントは、各自に、ユーザ装置に、対応する測量サブセットを送信し、これによって、ユーザ装置が測量を行い、周期的な報告又は非周期的な報告を行うようにトリガーすることができる。
【００５９】
本発明の実施例は、基地局をも提供し、また、上述のチャネル状態情報の測量方法と同じ内容については、ここでは省略する。なお、該基地局とは、広義上でのネットワーク側の基地局を指し、マクロセル（Macro  Cell)の基地局であってよく、ピコセルセル(Pico  Cell)の基地局であっても良く、RRHなどであっても良い。
【００６０】
図6は、本発明の実施例における基地局の構成図である。図6に示すように、前記基地局は、協調ポイント選択ユニット601及び測量サブセット構成ユニット602を含む。
【００６１】
そのうち、協調ポイント選択ユニット601は、ユーザ装置のために、CoMP伝送を行うための一つ又は複数の協調伝送ポイントを選択し、測量サブセット構成ユニット602は、該基地局及び各協調伝送ポイントについて、チャネル状態情報フィードバック用の測量サブセットを構成し、これによって、ユーザ装置が測量サブセットに基いて測量を行う。
【００６２】
そのうち、基地局の測量サブセットは、協調伝送ポイントに対応するABSのリソース情報を含んでも良く、協調伝送ポイントの測量サブセットは、他の協調伝送ポイント及び基地局に対応するABSのリソース情報を含んでもよい。
【００６３】
図7は、本発明の実施例における基地局の他の構成図である。図7に示すように、前記基地局は、協調ポイント選択ユニット701及び測量サブセット構成ユニット702を含む。
【００６４】
図7に示すように、該基地局は、さらに、モードやり取りユニット703を含んでも良い。そのうち、モードやり取りユニット703は、ABSを構成しているスケジューリングモードを協調伝送ポイントに送信し、また、協調伝送ポイントから送信した、ABSを構成しているスケジューリングモードを受信する。
【００６５】
また、測量サブセット構成ユニット702は、さらに、具体的に、ABSが構成されているスケジューリングモードに基いて、測量サブセットを構成するために用いられる。
【００６６】
図7に示すように、該基地局は、さらに、構成送信ユニット704を含んでも良い。そのうち、構成送信ユニット704は、上位層シグナリングにより、ユーザ装置に、測量サブセットを送信し、これによって、ユーザ装置が、測量サブセットに基いて測量を行い、周期的な報告を行う。
【００６７】
或いは、構成送信ユニット704は、下り制御情報により、ユーザ装置に、測量サブセットを送信し、これによって、ユーザ装置が測量サブセットに基いて測量を行い、非周期的な報告を行うようにする。
【００６８】
上述の実施例から分かるように、基地局側では、協調に参与する各セル又は伝送ポイントに対して、単独のチャネル状態情報のフィードバックの構成を行うことにより、統一のフィードバック情報構造設計を使用することができ、これによって、マルチ伝送ポイント又はマルチセルに対してのチャネルフィードバック情報は、単一セルの伝送及びマルチセルの伝送の両方にサービングすることができる。また、干渉ができるだけ小さいリソース上でCSI測量を行うことにより、フィードバックの精度及び柔軟性を向上させ、下りオーバーヘッドを低減することができる。
【００６９】
本発明の実施例は、チャネル状態情報の測量方法を提供し、該方法は、CoMPシステムにおけるユーザ装置側で応用される。そのうち、基地局側と同じ内容については、ここでは、省略する。
【００７０】
図8は、本発明の実施例における測量方法の他のフローチャートである。図8に示すように、CoMPシステムにおけるユーザ装置側では、該測量方法は、次のようなステップを含む。
【００７１】
ステップ801：ユーザ装置が、基地局又は協調伝送ポイントの測量サブセットに基いて、各基地局又は協調伝送ポイントのチャネル状態情報に対して単独測量を行う。
【００７２】
そのうち、基地局の測量サブセットは、協調伝送ポイントに対応するABSのリソース情報を含んでも良く、協調伝送ポイントの測量サブセットは、他の協調伝送ポイント及び基地局に対応するABSのリソース情報を含んでもよい。
【００７３】
さらに、図8に示すように、ステップ801において情報測量を行う前に、該測量方法は、さらに、次のステップを含んでも良い。
【００７４】
ステップ802：基地局が送信した測量サブセットを受信する。
【００７５】
さらに、図8に示すように、ステップ801において情報測量を行った後に、該測量方法は、さらに、次のステップを含んでもよい。
【００７６】
ステップ803：ユーザ装置が、その測量したチャネル状態情報を報告する。
【００７７】
具体的に実施する時に、ステップ802では、ユーザ装置が、基地局から上位層シグナリングにより送信された測量サブセットを受信してもよい。これによって、ステップ803では、ユーザ装置が、その測量したチャネル状態情報に対して周期的な報告を行う。
【００７８】
或いは、具体的に実施する時に、ステップ802では、ユーザ装置が、基地局から下り制御情報により送信された測量サブセットを受信してもよい。これによって、ステップ803では、ユーザ装置が、その測量したチャネル状態情報に対して非周期的な報告を行う。
【００７９】
本実施例では、周期的な報告又は非周期的な報告を行うことは、従来の規格に規定の時間シーケンスを採用して行ってもよいので、ここでは、その詳しい説明を省略する。
【００８０】
本発明の実施例は、ユーザ装置をも提供し、また、上述のチャネル状態情報の測量方法と同じ内容については、ここでは省略する。
【００８１】
図9は、本発明の実施例におけるユーザ装置の構成図である。図9に示すように、該ユーザ装置は、情報測量ユニット901を含み、そのうち、情報測量ユニット901は、基地局又は協調伝送ポイントの測量サブセットに基いて、各基地局又は協調伝送ポイントのチャネル状態情報に対して単独測量を行う。
【００８２】
そのうち、基地局の測量サブセットは、協調伝送ポイントに対応するABSのリソース情報を含んでも良く、協調伝送ポイントの測量サブセットは、他の協調伝送ポイント及び基地局に対応するABSのリソース情報を含んでも良い。
【００８３】
さらに、図9に示すように、該ユーザ装置は、さらに、構成受信ユニット902を含んでもよく、そのうち、構成受信ユニット902は、基地局から上位層シグナリングにより送信された測量サブセットを受信し、又は、基地局から下り制御情報により送信された測量サブセットを受信する。
【００８４】
さらに、図9に示すように、該ユーザ装置は、さらに、情報報告ユニット903を含んでも良く、そのうち、情報報告ユニット903は、測量したチャネル状態情報に対して周期的な報告又は非周期的な報告を行う。
【００８５】
上述の実施例から分かるように、ユーザ装置側では、協調に参与する各セル又は伝送ポイントが構成した測量サブセットに基いて、単独でチャネル状態情報測量を行い、統一のフィードバック情報構造設計を使用することができる。これによって、マルチ伝送ポイント又はマルチセルに対してのチャネルフィードバック情報は、単一セルの伝送及びマルチセルの伝送の両方にサービングすることができる。また、干渉ができれば小さいリソース上でCSI測量を行うことによって、フィードバックの精度及び柔軟性を向上させ、下りオーバーヘッドを小さくすることができる。
【００８６】
本発明の実施例は、さらに、コンピュータ可読プログラムを提供し、そのうち、基地局において前記プログラムを実行する時に、前記プログラムは、コンピュータに、前記基地局において前述のチャネル状態情報の測量方法を実行させる。
【００８７】
本発明の実施例は、さらに、コンピュータ可読プログラムを記憶した記憶媒体を提供し、そのうち、前記コンピュータ可読プログラムは、コンピュータに、基地局において、前述のチャネル状態情報の測量方法を実行させる。
【００８８】
本発明の実施例は、さらに、コンピュータ可読プログラムを提供し、そのうち、ユーザ装置において前記プログラムを実行する時に、前記プログラムは、コンピュータに、前記ユーザ装置において、前述のチャネル状態情報の測量方法を実行させる。
【００８９】
本発明の実施例は、さらに、コンピュータ可読プログラムを記憶した記憶媒体を提供し、そのうち、前記コンピュータ可読プログラムは、コンピュータに、ユーザ装置において前述のチャネル状態情報の測量方法を実行させる。
【００９０】
本発明の上述の装置及び方法は、ハードウェアにより実現されてもよく、ハードウェアとソフトウェアとの組み合わせにより実現されてもよい。また、本発明は、このようなコンピュータ可読なプログラムにも関し、即ち、該プログラムは、ロジック部により実行されている時に、該ロジック部に、上述の装置又は構成部品を実現させることができ、又は、該ロジック部に、上述の各種方法又はステップを実現させることができる。ロジック部品は、例えば、FPGA部品、マイクロプロセッサー、コンピュータに用いる処理器等であっても良い。本発明は、さらに、上述のプログラムを記録している記憶媒体、例えば、ハードディスク、磁気ディスク、光ディスク、DVD、flashメモリなどにも関する。
【００９１】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
0005928593.tif 000004
【図２】
0005928593.tif 000005
【図３】
0005928593.tif 000006
【図４】
0005928593.tif 000007
【図５】
0005928593.tif 000008
【図６】
0005928593.tif 000009
【図７】
0005928593.tif 000010
【図８】
0005928593.tif 000011
【図９】
0005928593.tif 000012